(57)【要約】【課題】切断の動作を軽く行えるような鋏を提供する。【解決手段】鋏は、刃１１１を備えた刃部１１０と、取っ手１３１を備えた把持部１３０と、かしめ部１２０とを備えた鋏体１００を２つ、かしめ部材２００で２つの鋏体１００が互いに回動できるようにかしめ部材２００でかしめてなる。刃１１１には、２つの鋏体１００の角度が３０°の状態から、閉じた状態に至るまでに、２つの刃１１１がなす角度が常に２７°から４３°の間を保つようなカーブが与えられている。また、刃部１１０には、窪みが設けられている。窪みは、かしめ部材２００の下方にまで至る。【選択図】図５
2015211742.tif 000002
【特許請求の範囲】
【請求項１】
内側に沿って刃を有するその先端側の刃部と、取っ手を有するその基端側の把持部と、刃部と把持部との間に位置するかしめ部とをそれぞれ有する、２つの鋏体と、
２つの前記鋏体を、各鋏体の前記かしめ部で互いに回転可能にかしめるかしめ部材と、
を備える鋏であって、
２つの前記鋏体における２つの前記刃には、２つの前記鋏体の角度が３０°の状態から、閉じた状態に至るまでに、２つの刃がなす角度が常に２７°から４３°の間を保つようなカーブが与えられているとともに、
２つの前記刃部の互いに対向する側の面である裏側面の前記刃よりも外側の部分の少なくとも８０％の部分の表面には、２つの鋏体の前記刃が移動することによって形成される仮想の面である仮想面に接触しない形状とされた非接触部が設けられている、
鋏。
【請求項２】
前記非接触部は、少なくとも前記鋏体における前記刃部の前記裏側面に設けられた窪みである、
請求項１記載の鋏。
【請求項３】
前記非接触部における前記鋏体の前記裏側面の表面の断面は、前記刃部の前記裏側面の逆側の面である表側面に向けて凸の湾曲したカーブを描くようにされている、
請求項２記載の鋏。
【請求項４】
前記非接触部における前記鋏体の前記裏側面の表面の断面は、前記刃部の前記裏側面の逆側の面である表側面に向けて凸のコの字型を描くようにされている、
請求項２記載の鋏。
【請求項５】
前記非接触部における前記鋏体の前記裏側面の表面の断面は、前記刃部の前記裏側面の逆側の面である表側面に向けて凸のＶの字型を描くようにされている、
請求項２記載の鋏。
【請求項６】
前記非接触部は、その幅が前記刃部の外側にまで及んでいる、
請求項２記載の鋏。
【請求項７】
前記非接触部は、その長さが前記鋏体の前記刃部の中にのみ及んでいる、
請求項２〜６のいずれかに記載の鋏。
【請求項８】
前記非接触部は、その長さが前記鋏体の前記かしめ部の前記かしめ部材でかしめられる部分の手前にまで及んでいる、
請求項１〜６のいずれかに記載の鋏。
【請求項９】
前記非接触部は、その長さが前記鋏体の前記かしめ部の前記かしめ部材でかしめられる部分にまで及んでいる、
請求項１〜６のいずれかに記載の鋏。
【請求項１０】
前記鋏体の表側面は平面である、
請求項１〜９のいずれかに記載の鋏。
【請求項１１】
前記鋏体の表側面の表面は、前記裏側面の表面に平行である、
請求項１〜９のいずれかに記載の鋏。
【請求項１２】
前記非接触部は、その長さが前記鋏体の前記かしめ部の前記かしめ部材でかしめられる部分にまで及んでおり、
前記かしめ部には、その基端面に前記かしめ部の前記表側面の凹凸に対応する凹凸を有するとともに、その先端面が前記仮想面と平行となる平面となっており、且つその基端を前記かしめ部に固定され、且つその内部を前記かしめ部材が貫通可能となっている、調整部材が取付けられている、
請求項１１記載の鋏。
【請求項１３】
前記非接触部は、その長さが前記鋏体の前記かしめ部の前記かしめ部材でかしめられる部分にまで及んでおり、
前記かしめ部の表側面には、前記かしめ部材が貫通可能となっている孔の周囲を囲む前記仮想面と平行な面である底面、を有する穴が設けられている、
請求項１１記載の鋏。
【請求項１４】
請求項１０記載の鋏の製造方法であって、
前記非接触部を、前記鋏体の裏側面に対して削り出しを行うことによって形成する、
鋏の製造方法。
【請求項１５】
請求項１１記載の鋏の製造方法であって、
前記非接触部を、前記鋏体に対してプレス加工を行うことによって形成する、
鋏の製造方法。
【発明の詳細な説明】
【技術分野】
【０００１】
本発明は、鋏に関する。
【背景技術】
【０００２】
鋏は古くから様々な場面で用いられている。例えば、オフィスや家庭等様々な場面で用いられている。また鋏の用途も、事務用、調理用、裁縫用、理容・美容用…、と枚挙に暇がない。
鋏は一般に、２つの鋏体を互いに回動可能にかしめ部材で接続して構成されている。各鋏体はともに、内側に沿って刃を有するその先端側の刃部と、取っ手を有するその基端側の把持部と、刃部と把持部との間に位置するかしめ部とを有する。上述のかしめ部材による２つの鋏体の接続は、両鋏体のかしめ部で行われる。２つの鋏体の両把持部にユーザが指を入れ、２つの鋏体の角度を、角度が大きな状態から小さな状態に変化させるようにして回転させることにより、ユーザは２つの鋏体における刃部の刃の間に挟まれた切断の対象となる対象物を切断できる。
【０００３】
鋏の本質的な機能は対象物を切断できるということであるが、鋏のユーザに、女性や子供もいることを考慮すれば、鋏を用いて行う切断の動作を軽く行える、つまり鋏を用いて切断を行うときにユーザに要求される力が小さくて済むような鋏の需要は高い。
【発明の概要】
【発明が解決しようとする課題】
【０００４】
そのような鋏を得るべく、本願発明者は研究を重ねた。
まず、鋏を動作させるときに重くなる理由について本願発明者が研究を行った結果、その原因が幾つか判明した。
１つ目の理由は、２つの鋏体の角度が大きなときと小さなときで対象物の切り易さが変化するということに起因して生じる。通常、鋏は、その鋏体同士の角度が大きい状態、つまり刃部の根本近くで対象物を切断するときには対象物がそれを挟む２つの刃部から逃げるように回転することがあり、小さな力で対象物を切断するのが難しい場合がある。
２つ目の理由は、２つの鋏体の間の摩擦力が大きくなる場合である。通常板状である２つの鋏体は、２つの刃部の間で対象物を切断する関係上、それらが互いに隙間なく当接するような状態で互いに回転するようになっている。したがって、２つの鋏体の間に異物が入り込むと両者の間に生じる摩擦力が大きくなる。例えば鋏が事務用のものであれば、例えば粘着テープを切ったときには鋏体の間に糊が玉になった糊玉が入り込むことがあるし、鋏が調理用のものであれば、鋏体の間に例えば粘着力を持つ例えばゲル状の物体が入り込むことがある。そのような場合には、小さな力で対象物を切断することが難しくなる。
しかしながら、これら２つの課題をともに解決できる鋏は知られていない。
【０００５】
本願発明は、切断の動作を軽く行えるような鋏を提供することを目的とする。
【課題を解決するための手段】
【０００６】
本願発明は、内側に沿って刃を有するその先端側の刃部と、取っ手を有するその基端側の把持部と、刃部と把持部との間に位置するかしめ部とをそれぞれ有する、２つの鋏体と、２つの前記鋏体を、各鋏体の前記かしめ部で互いに回転可能にかしめるかしめ部材と、を備える鋏である。
そして、この鋏の２つの前記鋏体における２つの前記刃には、２つの前記鋏体の角度が３０°の状態から、閉じた状態に至るまでに、２つの刃がなす角度が常に２７°から４３°の間を保つようなカーブが与えられているとともに、２つの前記刃部の互いに対向する側の面である裏側面の前記刃よりも外側の部分の少なくとも８０％の部分の表面には、２つの鋏体の前記刃が移動することによって形成される仮想の面である仮想面に接触しない形状とされた非接触部が設けられている。
本願の鋏の２つの前記鋏体における２つの前記刃には、２つの前記鋏体の角度が３０°の状態から、閉じた状態に至るまでに、２つの刃がなす角度が常に２７°から４３°の間を保つようなカーブが与えられている。鋏の鋏体は、対象物を切断する際に、開いた状態から閉じた状態までその角度を変化させる。本願の２つの鋏体の刃部の刃にはそれぞれ、鋏体の角度が３０°の状態から、閉じた状態に至るまでに、２つの刃がなす角度が常に２７°から４３°の間を保つようなカーブが与えられているので、鋏体の角度が３０°から徐々に小さくなっていったとしても、刃のなす角度に大きな変化がない。そのため、２つの鋏体の角度が３０°から徐々に小さくなっていくときに、２つの鋏体の角度の如何によらず、ユーザは鋏体を軽く動かせる。
また、本願の鋏における２つの前記刃部の互いに対向する側の面である裏側面の前記刃よりも外側の部分の少なくとも８０％の部分の表面には、２つの鋏体の前記刃が移動することによって形成される仮想の面である仮想面に接触しない形状とされた非接触部が設けられているから、２つの鋏体の刃と刃が接触するには問題はないが、２つの鋏体の裏側面と裏側面との間（２つの鋏体を平面視した場合において少なくとも一方の鋏体の非接触部が存在している部分の裏側面と裏側面の間）には、空間が存在している。したがって、鋏体と鋏体との間に異物が入り込んだとしても、それが２つの鋏体の間の摩擦力を増す原因となる可能性が小さいので、鋏体を軽く動かせるようになる。また、非接触部の存在により、２つの鋏体は、それらの裏側面同士を当接させる面積を、非接触部が無いときに比べて小さくさせることができる。それにより鋏体の裏側面同士が例えば全面で接触しあうときに比べて、本願の鋏は２つの鋏体の間に異物が入り込まなくとも、その動作を軽く行うことができるようなものとなる。
なお、本願において、鋏体の「裏側面」とは２つの鋏体の互いに対向する側の面を意味し、鋏体の「表側面」とは２つの鋏体の裏側面の反対側の面を意味する。また、本願において鋏体の「内側」とは２つの鋏体の刃がついている側を意味し、「外側」とは、鋏体の内側の反対側を意味する。また、これらは後ほど登場するが、本願において非接触部の「長さ」とは非接触部の鋏体における鋏体から把持部にわたる長さ方向の長さを意味し、非接触部の「幅」とは鋏体の内側から外側にわたる幅方向の幅を意味する。
【０００７】
前記非接触部は、少なくとも前記鋏体における前記刃部の前記裏側面に設けられた窪みであっても良い。前記非接触部は、その幅が前記刃部の外側にまで及んでいても良い。非接触部が刃部の裏側面に設けられた窪みであるとき、それは鋏体に設けられる公知のひぞこと同様のものとなる。他方、非接触部が刃部の外側にまで及んでいる場合には、非接触部はもはやひぞことは別物となり、むしろ非接触部から刃が上述の仮想面に向けて立上がるような構成となる。
非接触部が窪みである場合、前記非接触部における前記鋏体の前記裏側面の表面の断面は、前記鋏体の前記裏側面の逆側の面である表側面に向けて凸の湾曲したカーブを描くようにされていても良い。また、前記非接触部における前記鋏体の前記裏側面の表面の断面は、前記刃部の前記裏側面の逆側の面である表側面に向けて凸のコの字型を描くようにされていても良い。また、前記非接触部における前記鋏体の前記裏側面の表面の断面は、前記刃部の前記裏側面の逆側の面である表側面に向けて凸のＶの字型を描くようにされていても良い。これらはいずれも、削り出しによっても、また、鋏体にプレス加工を行うことによっても、鋏体に簡単に形成することができる。
【０００８】
前記非接触部は、その長さが前記鋏体の前記刃部の中にのみ及んでいても良い。
他方、非接触部は、その長さが前記鋏体の前記かしめ部の前記かしめ部材でかしめられる部分の手前にまで及んでいても良い。かしめ部は上述のようにかしめ部材によってかしめられる。そのため、鋏体のかしめ部には通常、かしめ部材に貫通される孔が穿たれる。そしてその孔の周辺には一定の面積の板状体が存在することになる。かしめ部を構成する板状体は通常、それらの裏側面同士が上述した仮想面の延長上に位置するようにして当接しあうようになっている。さもなくば、２つの鋏体を相互に回転させる際にがたが出る可能性があるからである。つまり、かしめ部は相互に当接し合うのでその間に摩擦力が生じる。しかもその摩擦力は、かしめ部材からの距離が近いので、把持部を力点、かしめ部材を支点、かしめ部を作用点の梃子を考えたとき、力点に加えるべき力を飛躍的に大きくする。したがって、非接触部がかしめ部の裏側面にまで及ぶと、２つの鋏体のかしめ部間に生じる摩擦力が小さくなるから、２つの鋏体を相互に回転させるときにその動作が軽くなる。しかも非接触部がかしめ部材でかしめられる部分の手前にまでしか、非接触部が及んでいなければ、かしめ部同士の間でがたが生じる可能性も少ない。
もっとも前記非接触部は、その長さが前記鋏体の前記かしめ部の前記かしめ部材でかしめられる部分にまで及んでいても良い。そうすれば、上述の場合よりも更に、２つの鋏体のかしめ部間に生じる摩擦力が小さくなるから、２つの鋏体を相互に回転させるときにその動作がより軽くなる。ただし、この場合には、非接触部は、窪みである必要がある。非接触部がかしめ部の外側にまで及んでいると、かしめ部の間でがたが生じるからである。
【０００９】
本願の鋏の前記鋏体の表側面は平面であっても良い。この場合、前記鋏の表側面の表面と裏側面の表面とは、特に鋏体のうち非接触部が存在しない部分では、平行でなくなる。このような鋏は、例えば、前記非接触部を、前記鋏体の裏側面に対して切削の加工を行うことによって形成することができる。
本願の鋏の前記鋏体の表側面の表面は、前記裏側面の表面に平行であっても良い。このような鋏は、例えば、前記非接触部を、前記鋏体に対してプレス加工を行うことによって形成することができる。鋏体の表側面の表面と裏側面の表面が平行である場合であって、特に、前記非接触部の長さが前記鋏体の前記かしめ部の前記かしめ部材でかしめられる部分にまで及んでいる場合には、かしめ部の周囲に凹凸があるため、かしめ部材が安定してかしめ部に取付けられないことも考えられる。
そのような場合においては、前記かしめ部には、その基端面に前記かしめ部の前記表側面の凹凸に対応する凹凸を有するとともに、その先端面が前記仮想面と平行となる平面となっており、且つその基端を前記かしめ部に固定され、且つその内部を前記かしめ部材が貫通可能となっている、調整部材が取付けられていても良い。そうすることで、かしめ部材を安定してかしめ部に取付けられるようになる。
また、調整部材を用いる代わりに、前記かしめ部の表側面には、前記かしめ部材が貫通可能となっている孔の周囲を囲む前記仮想面と平行な面である底面、を有する穴が設けられているようにしても良い。これによっても、かしめ部材を安定してかしめ部に取付けられるようになる。
【図面の簡単な説明】
【００１０】
【図１】第１実施形態による鋏の鋏体の閉じた状態を示す平面図。
【図２】図１に示した鋏の鋏体の開いた状態を示す平面図。
【図３】図１に示した鋏の側面図。
【図４】図１に示した鋏の鋏体本体の平面図。
【図５】図１に示した鋏の鋏体が３０°程度に開いた状態を示す平面図。
【図６】図１に示した鋏の鋏体が１０°程度に開いた状態を示す平面図。
【図７】図１に示した鋏における非接触部の存在範囲を示す鋏体本体の平面図。
【図８】図１に示した鋏の刃部の一例の断面図。
【図９】図１に示した鋏の刃部の一例の断面図。
【図１０】図１に示した鋏の刃部の一例の断面図。
【図１１】図１に示した鋏の刃部の一例の断面図。
【図１２】図１に示した鋏のかしめ部材の構成を示す断面図。
【図１３】図１に示した鋏のかしめ部材の他の構成例を示す断面図。
【図１４】図１に示した鋏のかしめ部材の他の構成例を示す断面図。
【図１５】第２実施形態による鋏の刃部の一例の断面図。
【図１６】第２実施形態による鋏の刃部の一例の断面図。
【図１７】第２実施形態による鋏の刃部の一例の断面図。
【図１８】第２実施形態による鋏の刃部の一例の断面図。
【図１９】第３、第４実施形態による鋏の非接触部の存在範囲を示す鋏体本体の平面図。
【図２０】第５、第６実施形態による鋏の非接触部の存在範囲を示す鋏体本体の平面図。
【発明を実施するための形態】
【００１１】
以下、本発明の好ましい第１〜第６実施形態について、図面を参照して詳細に説明する。
なお、各実施形態の説明において、重複する対象には同一の符号を付すものとし、且つ重複する説明は必要に応じて省略するものとする。
【００１２】
≪第１実施形態≫
図１、図２及び図３に第１実施形態の鋏を図示する。図１、図２は平面図、図３は側面図である。図１は、後述する鋏体が閉じた状態、図２は鋏体が開いた状態をそれぞれ図示している。
【００１３】
鋏は、２つの鋏体１００を有している。
鋏体１００は、その先端側の刃部１１０、その中程のかしめ部１２０、及び、その基端側の把持部１３０をそれぞれ有している。
２つの鋏体１００は、かしめ部１２０において、かしめ部材２００により互いに回転可能として接続されている。かしめ部材２００による２つの鋏体１００のかしめ部１２０同士の接続方法については後述する。
【００１４】
刃部１１０は例えば金属製であり、板状である。刃部１１０の内側には刃１１１が切られている。刃１１１は刃部１１０の全長にわたって切られている。図１、図２において手前側に位置する鋏体１００における刃１１１は、その外側から内側に向けて刃部１１０の厚さを薄くすることによって形成されている。図１、図２において奥側に位置する鋏体１００における刃１１１も、両図での図示は省略するが、同様に形成されている。
かしめ部１２０は刃部１１０と把持部１３０とを繋ぐ板状体である。かしめ部１２０はかしめ部材２００で、２つの鋏体１００のかしめ部１２０同士を接続できるようにするために、ある程度の面積が与えられている。２つの鋏体１００におけるかしめ部１２０は、その互いに対向しあう面である裏側面同士を、少なくともその一部で当接し合っている。２つのかしめ部１２０の互いに当接する部分は、平面状であるか、或いはある平面上に乗っている。２つのかしめ部１２０の互いに当接する部分が平面状である場合には、それら平面は後述する仮想面と共通の平面上に位置する。２つのかしめ部１２０の互いに当接する部分が平面状でない場合には、２つのかしめ部１２０の互いに当接し合う部分は、後述する仮想面と共通の平面上に位置する。後述するようにかしめ部１２０の裏面側にも凹凸が設けられることがあるが、そうであってもかしめ部１２０は、上述のような裏側面の構造を有することにより、２つのかしめ部１２０の回転をがたを生じることなく行えるようになっている。
両把持部１３０はそれぞれ、鋏をユーザが使用するときにユーザが鋏を把持するための、例えば輪状の取っ手１３１が設けられている。一方の取っ手１３１には通常、ユーザの親指が、他方の取っ手１３１には通常、ユーザの人差指と中指が通される。取っ手１３１はそれに都合の良い大きさ、形状にされている。この実施形態における２つの取っ手１３１は同じものとされているが、必ずしもこの限りではない。
なお、鋏体１００の刃部１１０、かしめ部１２０は一体であり、また把持部１３０の取っ手１３１の内部にも、刃部１１０、かしめ部１２０に連なる部材が至っている。鋏体１００の刃部１１０、かしめ部１２０、及びそれらと一体であり、取っ手１３１の中に入り込んでいる部分は、全体として、図４に示したように構成されている。図４に示した部材を、この実施形態では、鋏体本体１０１と呼ぶことにする。
【００１５】
刃部１１０に設けられた刃１１１の全体には、カーブが与えられている。このカーブは、ユーザが切断の対象となる対象物を第１実施形態による鋏により切断する際に、ユーザが要する力を小さくするように機能する。
カーブの形状は、２つの鋏体１００が３０°開いた状態から閉じた状態まで回転するときに、２つの刃１１１のなす角度が常に２７°から４３°間を保つようなものとなっている。
例えば、図５に鋏体１００がおよそ３０°の角度で開いた状態を示す。鋏体１００の回転の中心となるかしめ部材２００から、鋏体１００の先端までを結ぶ直線を２つの鋏体１００について考えたときに、当該直線がなす角が２つの鋏体１００がなす角である。つまり、図５においてaで示されているのが、鋏体１００がなす角であり、図５ではこれがおよそ３０°になっている。他方、２つの鋏体１００がそのような位置関係になっているときにおける、２つの鋏体１００の刃１１１がなす角度は、２つの刃１１１が当接している部分における２つの刃１１１の接線の角度であるαを見ればわかるように、鋏体１００がなす角と同じか、それより僅かに小さいくらいとなっている。この実施形態においては、このときの角度αは、これには限られないが２８°である。
他方、図６に鋏体１００がおよそ１０°の角度で開いた状態を示す。つまり、図６における、ｂが１０°である。このときに２つの鋏体１００の刃１１１がなす角度βは、鋏体１００がなす角よりもずっと大きくなっている。この実施形態においては、図６におけるβは、３０°であるものとする。
このように、両鋏体１００の刃１１１に与えられているカーブは、両鋏体１００の角度を、３０°から閉じた状態まで変化させたときにおいて常に、２つの刃１１１のなす角が２７°から４３°間を保つことができるようなものとなっている。両鋏体１００の刃１１１に与えられているカーブは、両鋏体１００の角度を、３０°から閉じた状態まで変化させたときにおいて、２つの刃１１１がなす角を２７°から４３°の間の一定の角に常に保つようなものとなっていても構わないし、変化はするがその角を常に２７°から４３°の間で保つようなものとなっていても構わない。
【００１６】
２つの鋏体１００の互いにその刃部１１０同士が対向する側の面である裏側面には、また、非接触部１４０が設けられている。非接触部１４０は刃部１１０の面積の少なくとも８０％を占める。非接触部１４０は、刃部１１０の中にのみ存在することもあれば、刃部１１０とかしめ部１２０にわたって存在することもある。非接触部１４０は、刃部１１０においては、刃１１１の外側に存在している。非接触部１４０は、２つの鋏体１００がかしめ部材２００を中心に回転運動を行った際に２つの刃１１１が移動することによって形成される仮想の面である仮想面に接触しないようにされている。典型的には、非接触部１４０は、刃部１１０の裏側面に設けられた窪みであるが、後述するように窪みでない場合もあり得る。
【００１７】
この実施形態においては、非接触部１４０は、図７の破線で囲まれた範囲内に存在している。つまり、非接触部１４０は、刃部１１０からかしめ部１２０にわたる範囲に存在している。また、この実施形態においては、非接触部１４０は、かしめ部１２０におけるかしめ部材２００によってかしめられる部分を含んでいる。
非接触部１４０の断面形状は、図８〜図１１にそれぞれ示した例に示されたようなものとなっている。なお、図８〜図１１はそれぞれ、刃部１１０の中程の断面図であり、かしめ部１２０の断面形状は、これに倣う形状となっている。また、図８〜図１１におけるＳは、仮想面を示す。
【００１８】
図８の例では、非接触部１４０は、刃１１１の直ぐ外側から刃部１１０の外側の直ぐ手前にまでわたる幅を持つ。非接触部１４０は、表側面に向けて凸の、緩やかな弧を描くような断面を持つ窪みである。この場合、刃１１１が存在する部分を除き、鋏体本体１０１の表側面（より詳細には、鋏体本体１０１の刃部１１０とかしめ部１２０の表側面、以下も同じ。）は、鋏体本体１０１の裏側面（より詳細には、鋏体本体１０１の刃部１１０とかしめ部１２０の裏側面、以下も同じ。）と平行となっている。つまり、鋏体本体１０１の表側面も、鋏体本体１０１の幅方向に湾曲しており、その幅方向の中程が、鋏体本体１０１の裏側面から表側面に向かう向きに突出している。
図９の例では、非接触部１４０は、刃１１１の直ぐ外側から刃部１１０の外側の直ぐ手前までにわたる幅を持つ。非接触部１４０は、表側面に向けて凸の、２つの直線によって作られるＶ字型の断面を持つ窪みである。この場合、刃１１１が存在する部分を除き、鋏体本体１０１の表側面は、鋏体本体１０１の裏側面と平行となっている。つまり、鋏体本体１０１の表側面も、鋏体本体１０１の幅方向に断面Ｖ字型となっており、その幅方向の中程が、鋏体本体１０１の裏側面から表側面に向かう向きに突出している。
図１０の例では、非接触部１４０は、刃１１１のやや外側から刃部１１０の外側のやや手前にまでわたる幅を持つ。非接触部１４０は、表側面に向けて凸のコの字型の断面を持つ窪みである。この場合、刃１１１が存在する部分を除き、鋏体本体１０１の表側面は、鋏体本体１０１の裏側面と平行となっている。この場合においては、鋏体本体１０１の表側面は、その外側に段が存在するのを除けば、平面となる。
図１１の例では、非接触部１４０は、刃１１１の直ぐ外側から刃部１１０の外側にわたる幅を持つ。言い換えれば、この場合の非接触部１４０の幅方向における外側は、刃部１１０（場合により、刃部１１０及びかしめ部１２０）の外側にまで及んでいる。なお、このような場合においては、図７の点線の鋏体本体１０１の外側の部分は、鋏体本体１０１の外側の輪郭線に一致する。この例においては、非接触部１４０は、表面側に向けて仮想面Ｓから徐々に遠ざかるような、単一の或いは複数の直線によって構成されていても構わないが、この例では、仮想面Ｓから徐々に遠ざかる湾曲する曲線状の断面を呈している。もっとも、この場合の非接触部１４０が作る断面は、鋏体１００の内側から外側に行くに連れて徐々に仮想面Ｓから遠ざかるものである必要はない。またこの例では、刃１１１が存在する部分を除き、鋏体本体１０１の表側面は、刃部１１０の鋏体本体１０１の裏側面と平行となっている。つまり、鋏体本体１０１の表側面も、鋏体本体１０１の裏側面と同じようにその幅方向において、湾曲する断面を有している。
【００１９】
次に第１実施形態における鋏のかしめ部材について説明する。
第１実施形態における鋏では、その非接触部１４０が、図７に示したように、２つの鋏体本体１０１のかしめ部１２０のかしめ部材２００によってかしめられる部分にまで及んでいる。
また、第１実施形態における鋏では、非接触部１４０が存在している部分では、鋏体本体１０１の表側面と裏側面が平行になっている。
したがって、非接触部１４０の断面形状が図１０で示したものである場合には、鋏体本体１０１のかしめ部１２０におけるかしめ部材２００でかしめられる場所の表側面の表面は平面であるが、非接触部１４０の断面形状が図８、図９、図１１で示したものである場合には、鋏体本体１０１のかしめ部１２０におけるかしめ部材２００でかしめられる場所の表側面の表面には凹凸が存在している。
【００２０】
かしめ部材２００でかしめられる場所の表側面の表面が平面である場合には、かしめ部材２００としては、公知のかしめ部材をそのまま応用すれば良い。
この場合のかしめ部材２００の一例を挙げると、かしめ部材２００は、第１かしめ部材２１０と第２かしめ部材２２０とを含んで構成されている（図１２）。第１かしめ部材２１０は、一方の鋏体１００の表側面に当接する円板状の第１頭部２１１と、第１頭部２１１に対して垂直方向に延びる、雌ねじ部２１２を備えている。雌ねじ部２１２は、円筒形であり、その内周面にネジ切りがなされている。雌ねじ部２１２は、２つの鋏体１００のかしめ部１２０の重なり合う部分に、その位置を対応させて設けられた孔１２１に挿入されるようになっている。必ずしもこの限りではないが、この実施形態では、孔１２１は、雌ねじ部２１２の外径に対応する内径を持つ、断面円形の孔である。また、雌ねじ部２１２の内径は、第１頭部２１１の外径よりも小さい。
第２かしめ部材２２０は、他方の鋏体１００の表側面に当接する円板状の第２頭部２２１と、第２頭部２２１に対して垂直方向に延びる、雄ねじ部２２２を備えている。雄ねじ部２２２は、円筒形であり、その外周面にネジ切りがなされており、雌ねじ部２１２の内周面に螺合させられるようになっている。第２頭部２２１の外径は、雌ねじ部２１２の内径よりも大きくなっている。
そして、第１かしめ部材２１０の雌ねじ部２１２の内周面に、第２かしめ部材２２０の雄ねじ部２２２の外周面を螺合させ、第１かしめ部材２１０の第１頭部２１１と第２かしめ部材２２０の第２頭部２２２との間で挟持させることで、２つの鋏体１００は、かしめ部材２００を中心に、互いに回転可能となっている。
なお、この実施形態では、第１頭部２１１の外側に、例えば樹脂製で環状の保護リング２３０を取付けるようにしている。
【００２１】
かしめ部材２００でかしめられる場所の表側面の表面に凹凸がある場合には、かしめ部材２００としては、公知のかしめ部材をそのまま応用すれば良い。
この場合のかしめ部材２００は、上述の場合と同様の第１かしめ部材２１０と第２かしめ部材２２０とを含んで構成されている。しかしながら、かしめ部材２００でかしめられる場所の表側面の表面（要するに、上述の孔１２１の周囲）に凹凸があると、第１頭部２１１と一方の鋏体１００のかしめ部１２０の表側面の表面の間に、或いは第２頭部２２１と他方の鋏体１００のかしめ部１２０の表側面の間に隙間が空き、がたが生じる可能性がある。
その可能性をなくすために、この場合のかしめ部材は、例えば、図１３に示したような、調整部材２４０を備えている。なお、図１３は、図８に示す断面形状を持つ非接触部１４０を採用した鋏をその先端側から見た断面図である。
調整部材２４０は、鋏体１００の表側面に取付けられるものであり、表側面の凹凸に対応する、或いはその凹凸を吸収する形状をしている第１面２４１と、仮想面に対して平行な面である第２面２４２とを有している環状の部材であり、鋏体１００のかしめ部１２０に設けられた孔１２１と一連となる孔２４３を備えている。かかる調整部材２４０の第２面２４２に、第１かしめ部材２１０の第１頭部２１１と、第２かしめ部材２２０の第２頭部２２１を当接させることにより、上述したがたの発生が防止される。
或いは、がたをなくすための工夫としては、調整部材２４０を用いる代わりに、図１４に示したように、両鋏体１００のかしめ部１２０の孔１２１が穿たれる部分の周辺を切削することにより、上述の調整部材２４０の第２面２４２と同様に仮想面と平行な面である底面１２２を作り出すという方法もある。孔１２１を囲む環状の底面１２２に第１かしめ部材２１０の第１頭部２１１と、第２かしめ部材２２０の第２頭部２２１とを当接させることにより、上述したがたの発生を防止できるようになる。
【００２２】
以上の鋏の製造方法は、通常の鋏の製造方法と基本的に変わらない。ただし、以下の点には留意すべきである。
上述の非接触部１４０は、その表側面と裏側面とが、平行な板、つまりいわゆる普通の板を鋏体本体１０１の材料として用いる限り、非接触部１４０の形状に応じた型を用いてのプレス加工にて製造することができる。
また、上述の底面１２２を鋏が備えるのであれば、底面１２２は、鋏体本体１０１に対するプレス加工が行われるなどして、かしめ部１２０の孔１２１が存在すべき部分の周囲に凹凸ができた後に作られる。
【００２３】
次に、以上で説明した鋏の使用方法、及び動作について説明する。
第１実施形態の鋏は、通常の鋏と同様に、把持部１３０の取っ手にユーザが指を通し、２つの鋏体１００をかしめ部材２００を中心にして互いに回転させて用いる。このとき、開いた状態の２つの刃部１１０の間に、切断の対象となる対象物を置き、２つの刃部１１０が互いに重なり合うような状態まで、２つの刃部１１０が閉じるまでの間に、刃部１１０に存在する刃１１１で対象物を切断する。２つの鋏体１００におけるかしめ部１２０の裏側面はともに平面であり、且つ２つの裏側面同士は、少なくとも非接触部１４０が存在しない部分においては当接しあっているので、たとえ刃部１１０において刃１１１の先端同士しか当接していなくとも、刃１１１は滑らかに仮想面上を移動する。
このとき、刃部１１０の刃１１１には上述のようなカーブが与えられているから、２つの刃部１１０の角度によらず、２つの刃部１１０の刃１１１がなす角は、２７°〜４３°の間を保つ。これにより、鋏を操作する際のユーザの操作感は軽くなる。
また、２つの刃部１１０の裏側面には、非接触部１４０が存在するから、２つの刃部１１０の間に異物が入り込んだとしても、２つの刃部１１０の間の摩擦力が大きくなる可能性は低い。また、そもそも２つの刃部１１０の裏側面のうち非接触部１４０が存在するところは、他方の刃部１１０の裏側面とは接触しないのであるから、非接触部１４０がなく２つの刃部１１０の裏側面の全面同士が接触するときに比べて、両者が接触することによって生じる摩擦力が生じにくい。これも、鋏の操作を軽くする。
更に、第１実施形態では、非接触部１４０は、２つの鋏体１００の刃部１１０からかしめ部１２０のかしめ部材２００によってかしめられる部分にまで及んでいる。したがって、２つの鋏体１００の２つのかしめ部１２０においても、その裏側面同士が接触する面積が小さいので、その接触により生じる摩擦力も小さくなる。これも鋏の操作を軽くする。
【００２４】
≪第２実施形態≫
第２実施形態の鋏は、基本的に第１実施形態の場合と同じである。
第２実施形態の鋏も、第１実施形態の場合と同様に２つの鋏体を備えており、２つの鋏体は、かしめ部材で互いに回転可能に接続されている。
第２実施形態の鋏の２つの鋏体がそれぞれ、刃部と、かしめ部と、把持部を備えるところ、刃部には刃が設けられ、その刃がカーブしているところ、把持部が取っ手を有するところもすべて、第１実施形態の場合と代わりがない。また、非接触部が鋏体に設けられる範囲も第１実施形態の場合と同様である。
第２実施形態の鋏で、第１実施形態と異なるのは、鋏体本体の断面形状のみである。
第１実施形態の鋏体は、その刃部とかしめ部においては、それらの表側面と裏側面が平行であったが、この実施形態ではそうではない。
【００２５】
第２実施形態においては、非接触部１４０の断面形状は、図１５〜図１８にそれぞれ示した例に示されたようなものとなっている。なお、図１５〜図１８はそれぞれ、刃部１１０の中程の断面図であり、かしめ部１２０の断面形状は、これに倣う形状となっている。また、図１５〜図１８におけるＳは、仮想面を示す。
【００２６】
図１５の例では、非接触部１４０の形状、つまり鋏体本体１０１の裏側面の形状は、図８に示した場合と同じである。異なるのは鋏体本体１０１の表側面の形状である。第２実施形態では、鋏体本体１０１の表側面は、仮想面Ｓに対して平行な平面となっている。
同様に、図１６、１７、及び１８に示した例ではそれぞれ、図９、１０及び１１に示した例と、非接触部１４０の形状、つまり鋏体本体１０１の裏側面の形状は同じとされている。ただし、図１６、１７、及び１８に示した例では、鋏体本体１０１の表側面は、仮想面Ｓに対して平行な平面となっている。
【００２７】
また、第２実施形態における鋏は、その非接触部がそのかしめ部のかしめ部材に貫かれる部分にまで及んでいるが、かしめ部の表側面は上述のように平面である。したがって、そのかしめ部材には、図１２に示したような極普通の構造を採用することができる。
【００２８】
第２実施形態の鋏の製造方法は、通常の鋏の製造方法と基本的に変わらない。ただし、以下の点には留意すべきである。
上述の非接触部１４０は、その表側面と裏側面とが、平行な板、つまりいわゆる普通の板を鋏体本体１０１の材料として用いる限り、例えば、切削によって製造することができる。
【００２９】
次に、以上で説明した鋏の使用方法、及び動作について説明する。
第２実施形態による鋏は、第１実施形態の鋏とその用い方に変わりはない。
刃部１１０のカーブが鋏の操作を軽くする点も第１実施形態と同様である。
また、非接触部１４０の存在により、２つの刃部１１０の間に異物が入り込んでも、鋏を軽く操作できる点、２つの刃部１１０の裏側面と、かしめ部１２０のかしめ部材２００によってかしめられる部分まで非接触部１４０が存在することにより鋏の操作が軽くなるのも第１実施形態と変わらない。
【００３０】
≪第３実施形態≫
第３実施形態の鋏は、基本的に第１実施形態の場合と同じである。
第３実施形態の鋏も、第１実施形態の場合と同様に２つの鋏体を備えており、２つの鋏体は、かしめ部材で互いに回転可能に接続されている。
第３実施形態の鋏の２つの鋏体がそれぞれ、刃部と、かしめ部と、把持部を備えるところ、刃部には刃が設けられ、その刃がカーブしているところ、把持部が取っ手を有するところもすべて、第１実施形態の場合と変わりがない。また、第３実施形態では鋏体本体の表側面と裏側面が平行である点も、第１実施形態と同じである。
第３実施形態の鋏で、第１実施形態と異なるのは、非接触部の範囲である。
【００３１】
第１実施形態においては、非接触部１４０は、２つの鋏体１００の刃部１１０からかしめ部１２０のかしめ部材２００によってかしめられる部分にまで及んでいた。しかしながら、第３実施形態においては、非接触部１４０は、２つの鋏体１００の刃部１１０からかしめ部１２０にまで及んではいるが、かしめ部１２０では、かしめ部材２００によってかしめられる部分の手前にまでしか及んでいない（図１９）。
【００３２】
また、第３実施形態における鋏は、その非接触部がそのかしめ部のかしめ部材に貫かれる部分の手前にまでしか及んでいないため、かしめ部の表側面は上述のように平面である。したがって、そのかしめ部材には、図１２に示したような極普通の構造を採用することができる。
【００３３】
第３実施形態の鋏の製造方法、及びその留意点については、第１実施形態の場合と同様である。
【００３４】
第３実施形態の鋏の使用方法、及び動作は第１実施形態の場合と変わりない。
なお、第３実施形態の鋏では、その非接触部が２つの鋏体のかしめ部１２０のかしめ部材でかしめられている部位の手前までにしか及んでいないため、鋏の操作が第１実施形態の場合よりも僅かであるが重い。
【００３５】
≪第４実施形態≫
第４実施形態の鋏は、基本的に第２実施形態の場合と同じである。
第４実施形態の鋏が第２実施形態と異なるところは、非接触部の範囲である。第４実施形態の鋏の非接触範囲と、第２実施形態の鋏の非接触範囲との関係は、第３実施形態の鋏の非接触範囲と、第１実施形態の鋏の非接触範囲の関係と同じである。
つまり、第４実施形態の鋏における非接触範囲は、第３実施形態の鋏と同様に、２つの鋏体１００の刃部１１０からかしめ部１２０にまで及んではいるが、かしめ部１２０では、かしめ部材２００によってかしめられる部分の手前にまでしか及んでいない（図１９）。
【００３６】
また、第４実施形態における鋏は、第２実施形態の場合と同様に、その鋏体本体１０１の表側面と裏側面が平行でなく、鋏体本体１０１の表側面は平面である。したがって、そのかしめ部材には、図１２に示したような極普通の構造を採用することができる。
【００３７】
第４実施形態の鋏の製造方法、及びその留意点については、第２実施形態の場合と同様である。
【００３８】
第４実施形態の鋏の使用方法、及び動作は第２実施形態の場合と変わりない。
なお、第４実施形態の鋏では、その非接触部が２つの鋏体のかしめ部１２０のかしめ部材でかしめられている部位の手前までにしか及んでいないため、鋏の操作が第２実施形態の場合よりも僅かであるが重い。
【００３９】
≪第５実施形態≫
第５実施形態の鋏は、基本的に第３実施形態の場合と同じである。
第５実施形態の鋏が、第３実施形態の場合と異なるのは、非接触部の範囲である。
【００４０】
第３実施形態においては、非接触部１４０は、２つの鋏体１００の刃部１１０からかしめ部１２０のかしめ部材２００によってかしめられる部分の手前にまで及んでいた。しかしながら、第５実施形態においては、非接触部１４０は、２つの鋏体１００の刃部１１０の中にしか存在しない（図２０）。
【００４１】
また、第５実施形態における鋏は、その非接触部がその刃部の中にしか存在しないため、かしめ部の表側面は上述のように平面である。したがって、そのかしめ部材には、図１２に示したような極普通の構造を採用することができる。
【００４２】
第５実施形態の鋏の製造方法、及びその留意点については、第３実施形態の場合と同様である。
【００４３】
第５実施形態の鋏の使用方法、及び動作は第３実施形態の場合と変わりない。
なお、第５実施形態の鋏では、その非接触部が２つの鋏体の刃部の中にしか存在しないため、鋏の操作が第３実施形態の場合よりも僅かであるが重い。
【００４４】
≪第６実施形態≫
第６実施形態の鋏は、基本的に第４実施形態の場合と同じである。
第６実施形態の鋏が、第４実施形態の場合と異なるのは、非接触部の範囲である。
【００４５】
第４実施形態においては、非接触部１４０は、２つの鋏体１００の刃部１１０からかしめ部１２０のかしめ部材２００によってかしめられる部分の手前にまで及んでいた。しかしながら、第６実施形態においては、非接触部１４０は、２つの鋏体１００の刃部１１０の中にしか存在しない（図２０）。
【００４６】
また、第６実施形態における鋏は、その非接触部がその刃部の中にしか存在しないため、かしめ部の表側面は上述のように平面である。したがって、そのかしめ部材には、図１２に示したような極普通の構造を採用することができる。
【００４７】
第６実施形態の鋏の製造方法、及びその留意点については、第４実施形態の場合と同様である。
【００４８】
第６実施形態の鋏の使用方法、及び動作は第４実施形態の場合と変わりない。
なお、第６実施形態の鋏では、その非接触部が２つの鋏体の刃部の中にしか存在しないため、鋏の操作が第４実施形態の場合よりも僅かであるが重い。
【符号の説明】
【００４９】
１００  鋏体
１１０  刃部
１１１  刃
１２０  かしめ部
１２１  孔
１３０  把持部
１３１  取っ手
１４０  非接触部
２００  かしめ部材
２１０  第１かしめ部材
２１１  第１頭部
２１２  雌ねじ部
２２０  第２かしめ部材
２２１  第２頭部
２２２  雄ねじ部
【図１】
2015211742.tif 000003
【図２】
2015211742.tif 000004
【図３】
2015211742.tif 000005
【図４】
2015211742.tif 000006
【図５】
2015211742.tif 000007
【図６】
2015211742.tif 000008
【図７】
2015211742.tif 000009
【図８】
2015211742.tif 000010
【図９】
2015211742.tif 000011
【図１０】
2015211742.tif 000012
【図１１】
2015211742.tif 000013
【図１２】
2015211742.tif 000014
【図１３】
2015211742.tif 000015
【図１４】
2015211742.tif 000016
【図１５】
2015211742.tif 000017
【図１６】
2015211742.tif 000018
【図１７】
2015211742.tif 000019
【図１８】
2015211742.tif 000020
【図１９】
2015211742.tif 000021
【図２０】
2015211742.tif 000022